(57)【要約】      （修正有）【課題】情報セキュリティを保持しながら、着脱可能なディスクユニットを提供する。【解決手段】ソレノイドの作動により、ソレノイド軸ｂ２−１は矢印Ａ１方向に移動する。ばね付ストッパｅ５は、ソレノイド軸ｂ２−１に押され矢印Ａ１方向に移動する。ストッパｅ２は、ばね付ストッパｅ５を矢印Ａ１方向の移動時に収納する溝ｅ２−３を設け、ストッパｅ５を収納し、ばね付ストッパｅ５の規制から開放される。ストッパｅ２は、ねじりコイルばねｅ３により矢印Ｔ１方向への付勢され、ストッパｅ２の上面ｅ２−４が、蓋ｄ１の下面部にぶつかり、ストッパｅ２の回動は停止する。手動レバーｅ９はストッパｅ２と係合して、ストッパｅ２の矢印Ｔ１方向への回動により矢印Ｂ１方向へ移動する。そして、ストッパｅ２の回動が停止した状態でソレノイド軸ｂ２−１は矢印Ａ２方向に戻り、ディスクユニットを本体装置から取り出す。【選択図】    図８
2004355704.tif 000002
【特許請求の範囲】
【請求項１】
複数の記憶媒体を収納する収納部を備え、該複数の記憶媒体を電子機器本体装置に対して着脱可能に接続するディスクユニットにおいて、
前記収納部の入口に設けられ、前記複数の記憶媒体の取り出しを規制する開閉蓋と、
前記開閉蓋の閉成時に、該開閉蓋を開成可能な解除状態と開成不可能な係止状態とを選択的に切り換える切り換え手段と
を有し、
当該ディスクユニットが前記電子機器本体装置から取り外されたときの、前記開閉蓋の開成可否状態が、当該ディスクユニットが前記電子機器本体装置に装着された状態で選択されることを特徴とする着脱可能なディスクユニット。
【請求項２】
前記電子機器本体装置には、ユーザが前記開閉蓋の開成可否状態の選択指示を行う選択指示手段が備えられ、
前記切り換え手段は、前記選択指示手段によるユーザの指示に応じて、前記解除状態と前記係止状態のいずれかを選択する
ことを特徴とする請求項１に記載の着脱可能なディスクユニット。
【請求項３】
前記電子機器本体装置には、さらに、前記選択指示手段によって指示可能なユーザを認証する認証手段が備えられ、
前記選択指示手段は、前記認証手段によって認証されたユーザによって、前記指示可能である
ことを特徴とする請求項２に記載の着脱可能なディスクユニット。
【発明の詳細な説明】
【０００１】
【発明の属する技術分野】
本発明は、複数の記憶媒体を収納する収納部を備え、該複数の記憶媒体を電子機器本体装置に対して着脱可能に接続するディスクユニットに関する。
【０００２】
【従来の技術】
近年、コンピュータの普及は急速に進んでおり、各個人が各々にコンピュータを所有している状態にまで達している。そして、今日ではその普及率に伴って、情報を電子データとして管理することが多くなり、その情報は多種多様なものになっている。そのため、データ量は非常に大きくなり、コンピュータ内のハードディスクがすぐにいっぱいになってしまうという問題も発生してきている。一方、ハードディスクの容量は毎年急激に大きくなっており、容量の少ない古いハードディスクを容量の大きいハードディスクに交換したいというニーズも増加してきている。
【０００３】
また、コンピュータに複数のハードディスクを内蔵する場合においては、一般的にはレイドシステムというハードディスクの管理技術が用いられている。これは、複数のハードディスクを１つのユニットとして管理し、複数のハードディスクにデータを分割して記憶する機能や、複数のハードディスクにまったく同じデータを同時に書き込み、１つのハードディスクが破損した場合にも別のハードディスクからデータを読み出せるようにするようなミラーリング機能を有する技術である。
【０００４】
そこで、持ち運びが容易で、簡単に交換できる着脱可能なハードディスク（以下、「リムーバブルハードディスク」という）複数を１つのユニットとして管理し、そのユニットで本体装置から取り外し可能なディスクユニットが提案されている（たとえば、特許文献１参照）。
【０００５】
【特許文献１】
特開平１１―２８２６３６号公報
【０００６】
【発明が解決しようとする課題】
しかしながら、取り外し可能なディスクユニットを本体装置から取り外した状態で保管したり、１つのディスクユニットを複数の人間が共有して使用したりする場合には、次のような問題があった。すなわち、ディスクユニットには複数のリムーバブルハードディスクが入っているので、その一部のリムーバブルハードディスクが盗難や紛失により、ディスクユニットから取り外されたり、意図しない別のリムーバブルハードディスクが装着されたり、ディスクユニット内で、リムーバブルハードディスクの装着位置が変更されたりした場合には、ディスクユニット全体が機能しなくなる恐れがある。そして、これらの問題を防止するために、ディスクユニットに物理的な鍵を設けると、企業等で多数のディスクユニットを取り扱う場合、鍵の数が膨大になり、結果としてディスクユニットの管理が煩雑になってしまう。さらに、特開２０００−１９４４４８号公報での提案のように、本体装置に電子ロック付のカバーを取り付けると、着脱可能なディスクユニットを本体装置に装着した状態で保管して管理しなければならず、情報セキュリティ上問題があった。
【０００７】
本発明は、このような問題点に着目してなされたものであり、情報セキュリティを保持しながら、簡単に管理することが可能となる着脱可能なディスクユニットを提供することを目的とする。
【０００８】
【課題を解決するための手段】
上記目的を達成するため、請求項１に記載の着脱可能なディスクユニットは、複数の記憶媒体を収納する収納部を備え、該複数の記憶媒体を電子機器本体装置に対して着脱可能に接続するディスクユニットにおいて、前記収納部の入口に設けられ、前記複数の記憶媒体の取り出しを規制する開閉蓋と、前記開閉蓋の閉成時に、該開閉蓋を開成可能な解除状態と開成不可能な係止状態とを選択的に切り換える切り換え手段とを有し、当該ディスクユニットが前記電子機器本体装置から取り外されたときの、前記開閉蓋の開成可否状態が、当該ディスクユニットが前記電子機器本体装置に装着された状態で選択されることを特徴とする。
【０００９】
また、請求項２に記載の着脱可能なディスクユニットは、請求項１の着脱可能なディスクユニットにおいて、前記電子機器本体装置には、ユーザが前記開閉蓋の開成可否状態の選択指示を行う選択指示手段が備えられ、前記切り換え手段は、前記選択指示手段によるユーザの指示に応じて、前記解除状態と前記係止状態のいずれかを選択することを特徴とする。
【００１０】
さらに、請求項３に記載の着脱可能なディスクユニットは、請求項２の着脱可能なディスクユニットにおいて、前記電子機器本体装置には、さらに、前記選択指示手段によって指示可能なユーザを認証する認証手段が備えられ、前記選択指示手段は、前記認証手段によって認証されたユーザによって、前記指示可能であることを特徴とする。
【００１１】
【発明の実施の形態】
【００１２】
【実施例】
以下、本発明の実施の形態を図面に基づいて詳細に説明する。
【００１３】
図１および図２は、本発明の一実施の形態に係る着脱可能なディスクユニットａ１と、該ディスクユニットａ１を収納するユニット収納部ｂ１を有する電子機器本体ｃ１の外観を示す図である。図１は、ディスクユニットａ１がユニット収納部ｂ１に収納されている状態を示したものであり、図２は、ディスクユニットａ１がユニット収納部ｂ１から取り出された状態を示したものである。
【００１４】
図３は、ユニット収納部ｂ１の構成を示す図である。
【００１５】
同図に示すように、ユニット収納部ｂ１側面には、ソレノイドｂ２が取り付けられており、ソレノイドｂ２は、電子機器本体ｃ１からの命令信号により作動する。
【００１６】
次に、図４を用いてディスクユニットａ１の構成について説明する。
【００１７】
ディスクユニットａ１は、着脱可能なリムーバブルハードディスクａ２を最大４個収納し、そのまま電子機器本体ｃ１に設けられたユニット収納部ｂ１に収納し、もしくは取り外して保管できる。
【００１８】
ディスクユニットａ１の収納部の入り口には、蓋ｄ１およびトッテｄ２を含む蓋ユニットが取り付けられてあり、該蓋ユニットは、フックｅ１を含むロック機構を有している。また、ディスクユニット側面ａ１−１の内側には、軸ｆ１が取り付けられており、この軸ｆ１と前記ロック機構の係合により蓋ｄ１の開閉を規制する。
【００１９】
ディスクユニットａ１を電子機器本体ｃ１から取り出す場合、図５に示すように、トッテｄ２を、トッテ軸ｄ３を中心に上方向に回転させ、トッテｄ２を持って、引っ張り上げる。
【００２０】
図６〜図１１は、蓋ｄ１の開閉を規制するロック部の機構を表した図である。図６、図８および図１０は、ロック機構の斜視図であり、蓋ｄ１部は描かれていない。図７、図９および図１１は、ロック機構の側面図である。
【００２１】
図６〜図１１を用いて、フックｅ１に対するロックが解除され、蓋ｄ１が開閉する仕組みについて順を追って説明する。
【００２２】
まず、図６および図７は、蓋ｄ１が閉成され、ロックがかかった状態を表している。
【００２３】
フックｅ１は、蓋ｄ１に固定された軸ｅ７に回転自由に挿入され、Ｅリングｅ１０により軸ｅ７から抜けを防止されている。軸ｅ７には、ねじりコイルばねｅ８も挿入され、ねじりコイルばねｅ８によりフックｅ１を矢印Ｓ２方向へ付勢している。それにより、フックｅ１に設けられたツメｅ１−２は、図４に示すディスクユニット側面ａ１−１の内側に固定された軸ｆ１に衝止している。
【００２４】
ストッパｅ２は、蓋ｄ１に固定された軸ｅ４に回転自由に挿入され、Ｅリングｅ１１により軸ｅ４から抜けを防止されている。軸ｅ４には、ねじりコイルばねｅ３が挿入され、ストッパｅ２を矢印Ｔ１方向へ付勢している。ばね付ストッパｅ５は、蓋ｄ１に設けられた溝ｄ１−１に挿入され、溝ｄ１−１に収納されたばねｅ５−１により矢印Ａ２方向へ付勢されており、ばね付ストッパｅ５の下面ｅ５−２には、ストッパｅ２の上面ｅ２−１が圧接している。また、蓋ストッパｅ６は、ばね付ストッバｅ５のガイドと抜け防止をかねている。
【００２５】
この状態では、フックｅ１を矢印Ｓ１方向へ回転させたときに、フックｅ１の側面ｅ１−１は、ストッパｅ２の先端部ｅ２−２に突き当たり、回転が規制される。そのため、フックｅ１に設けられたツメｅ１−２は、軸ｆ１から離れることができず、蓋ｄ１は開かない。
【００２６】
次に、ソレノイドｂ２が作動した状態が、図８および図９である。
【００２７】
ソレノイドが作動すると、図３に示すソレノイドｂ２の軸であるソレノイド軸ｂ２−１が矢印Ａ１方向に移動する。ばね付ストッパｅ５は、ソレノイド軸ｂ２−１に押され、矢印Ａ１方向に移動する。ストッパｅ２には、ばね付ストッパｅ５が矢印Ａ１方向に移動したときに収納する溝ｅ２−３が設けてあり、ストッパｅ５がその溝ｅ２−３に収まることで、ストッパｅ２は、ばね付ストッパｅ５の規制から開放される。
【００２８】
ストッパｅ２は、ねじりコイルばねｅ３によって付勢されているため、矢印Ｔ１方向へ回転する。ストッパｅ２の上面ｅ２−４は、蓋ｄ１の下面部にぶつかるため、ストッパｅ２の回転は停止する。手動レバーｅ９は、ストッパｅ２と係合しているため、ストッパｅ２が矢印Ｔ１方向に回転すると、手動レバーｅ９は矢印Ｂ１方向へ移動する。
【００２９】
そして、ストッパｅ２の回転が停止した状態でソレノイド軸ｂ２−１は矢印Ａ２方向に戻り、この状態で図２に示すように、ディスクユニットａ１を本体装置ｃ１から取り出す。
【００３０】
次に、蓋を開くには、図１０および図１１で示すように、ストッパｅ２から開放された状態になっているフックｅ１を手動で矢印Ｓ１方向に回転させ、フックｅ１をディスクユニットの側面に接続している軸ｆ１から開放する。これによって、蓋ｄ１は再びロックをかけるまで自由に開閉できる状態になる。
【００３１】
次に、蓋ｄ１をロックするには、まず蓋ｄ１を閉め、図６および図７に示す手動レバーｅ９を矢印Ｂ２方向へ押し戻すことによって、ストッパｅ２はＴ２方向へ回転する。ストッパｅ２の溝ｅ２−２に収納されていたばね付ストッパｅ５は、ばねｅ５−１によって付勢されているため、矢印Ａ２方向へ移動し、蓋ｄ１がロックされた状態である図６および図７の状態へ戻る。
【００３２】
上記ソレノイドｂ２の動作は、図１の電子機器本体ｃ１の前面に設けられた入力装置であるタッチパネルｃ２からのパスワード入力認証によって行われる。または、ＩＣカードや指紋認証等により、本人特定のための入力を行い、使用者を認証してもよい。事前に認証サーバを登録することで、認証ユーザのみがディスクユニットの蓋ｄ１を開けることをできるようになる。つまり、認証ユーザのみがリムーバブルハードディスクの入れ替えができる状態になるため、認証されていないユーザが無断でディスクを入れ替えるなどの操作をし、ディスクユニットが動作しなくなるといったことを防ぐことができる。
【００３３】
図１２は、ディスクユニットａ１を本体装置ｃ１から着脱する際に行われるディスクユニットの蓋制御処理の手順を示すフローチャート図である。
【００３４】
まず、ステップＳ１０にて、ディスクユニットａ１を取り出す命令（イジェクト命令）が出されると、ステップＳ２０にて、ディスクユニットａ１の蓋ｄ１を開けるかどうかをユーザに尋ねる。このとき、ユーザが開けないことを選択すると、そのままステップＳ５０に進み、ユーザは蓋ｄ１が開かない状態のディスクユニットａ１を本体装置ｃ１から取り出す。
【００３５】
一方、ステップＳ２０で、ユーザが蓋ｄ１を開けることを選択すると、ステップ３０に進み、パスワードなどの認証を行う。ユーザは、事前に登録したパスワードなどを入力し、その許可が下りればステップＳ４０に進む。ステップＳ４０では、ソレノイドｂ２を作動させ、蓋ｄ１のロックを解除する。そして、ユーザは、蓋ｄ１が開成可能な状態のディスクユニットａ１を本体装置ｃ１から取り出す。
【００３６】
一方、ステップＳ３０で、パスワードが異なっていると、ステップＳ３１に進む。ステップＳ３１では、ユーザがパスワードを入力した回数をカウントするカウンタｃのカウント値を判定する。カウンタｃのカウント値が３以上であると、ステップＳ３４に進み、カウンタｃをリセット（“０”）して、ステップＳ５０に進む。
【００３７】
一方、ステップＳ３１で、カウンタｃのカウント値が３より小さければ、ステップＳ３２に進む。ステップＳ３２では、カウンタｃを“１”だけインクリメントして、ステップＳ３３に進む。ステップＳ３３では、ユーザにパスワードをもう１度入力するかどうか選択させ、そこでやめる（パスワードの入力をあきらめる）と、ステップＳ５０に進む一方、もう１度入力する場合はステップＳ３０に進む。つまり、ステップＳ３０でのパスワードの認証は３回まで行うことができる。
【００３８】
次に、ユーザがディスクユニットａ１を蓋ｄ１が開けられる状態（図８および図９の状態）で、本体装置ｃ１から取り出したときのユーザ操作について図１３を用いて説明する。
【００３９】
まず、図１３（ａ）に示すように、ユーザはディスクユニットａ１の蓋ｄ１をロックしているフックｅ１を矢印Ｓ１方向に回転させ、ロックを解除させる（図１０および図１１の状態）。
【００４０】
次に、図１３（ｂ）に示すように、蓋ｄ１を矢印方向Ｕに回転させ、蓋ｄ１を開ける。ここで、ユーザは、リムーバブルハードディスクａ２を取り替えるなどの作業を行う。作業が終了したら、蓋ｄ１を閉め、手動レバーｅ９を矢印Ｂ２方向に押し、蓋ｄ１にロックをかける。
【００４１】
なお、１度、手動レバーｅ９を押し、ロックをかけると、ロック機構は図６の状態になり、手動ではロックは解除できない。
【００４２】
以上説明したように、本実施の形態によれば、ディスクユニットに記憶媒体の取り出しを規制する開閉蓋を有するので、記憶媒体の誤着脱を防ぐことができる。また、紛失や盗難抑制効果をかねており、データの保管に関する安全性の向上につながる。さらに、本体装置に装着状態で、ディスクユニットの蓋のロック及びアンロックを選択することができるので、ディスクユニットに物理的な鍵が必要なく、また、ロックを解除するアクチュエータも必要としないので、ディスクユニットはシンプルな構造にすることができる。
【００４３】
さらに、ディスクユニットを複数の人間で共有化して使用する場合、開閉蓋を開けることのできる認証ユーザをパスワードなどの認証方法で事前に登録しておくことで、データの管理をしやすくし、セキュリティの向上にもつながる。
【００４４】
【発明の効果】
以上説明したように、本発明によれば、情報セキュリティを保持しながら、簡単に管理することが可能となる着脱可能なディスクユニットを提供することができる。
【図面の簡単な説明】
【図１】本発明の一実施の形態に係る着脱可能なディスクユニットａ１がユニット収納部ｂ１に収納されている状態を示した図である。
【図２】ディスクユニットａ１がユニット収納部ｂ１から取り出された状態を示した図である。
【図３】ユニット収納部ｂ１の構成を示す図である。
【図４】ディスクユニットａ１の構成を示す図である。
【図５】ディスクユニットａ１を電子機器本体ｃ１から取り出す様子を示す図である。
【図６】蓋ｄ１が閉成され、ロックがかかった状態を表す、ロック機構の斜視図である。
【図７】蓋ｄ１が閉成され、ロックがかかった状態を表す、ロック機構の側面図である。
【図８】ソレノイドｂ２が作動した状態を表す、ロック機構の斜視図である。
【図９】ソレノイドｂ２が作動した状態を表す、ロック機構の側面図である。
【図１０】蓋を開く状態を表す、ロック機構の斜視図である。
【図１１】蓋を開く状態を表す、ロック機構の平面図である。
【図１２】ディスクユニットａ１を本体装置ｃ１から着脱する際に行われるディスクユニットの蓋制御処理の手順を示すフローチャート図である。
【図１３】ユーザがディスクユニットａ１を蓋ｄ１が開けられる状態で、本体装置ｃ１から取り出したときのユーザ操作を説明するための図である。
【符号の説明】
ａ１  着脱可能なディスクユニット
ａ２  リムーバブルハードディスク
ｂ１  ユニット収納部
ｂ２  ソレノイド
ｃ１  電子機器本体
ｃ２  タッチパネル
ｄ１  蓋
ｅ１  フック
ｅ２  ストッパ
ｅ５  ばね付ストッパ
ｅ９  手動レバー
ｆ１  軸
【図１】
2004355704.tif 000003
【図２】
2004355704.tif 000004
【図３】
2004355704.tif 000005
【図４】
2004355704.tif 000006
【図５】
2004355704.tif 000007
【図６】
2004355704.tif 000008
【図７】
2004355704.tif 000009
【図８】
2004355704.tif 000010
【図９】
2004355704.tif 000011
【図１０】
2004355704.tif 000012
【図１１】
2004355704.tif 000013
【図１２】
2004355704.tif 000014
【図１３】
2004355704.tif 000015